(57)【要約】【課題】  中空容器内を外方から完全に遮蔽して中空容器内において正確に放射線量を検出する。【解決手段】  放射線流体モニター装置は、流体供給口２３および流体排出口２４が設けられた中空容器２１と、中空容器２１の上端開口を覆う上蓋２６と、流体供給口２３に接続された供給管２３ａと、流体排出口２４に接続された排出管２３ａとを備えている。中空容器２１内には放射線検出器２５が取付けられている。中空容器２１の外周、上蓋２６の上部、供給管２３ａの外周および排出管２４ａの外周に放射線遮蔽部材２２、２６ａ、２３ｂ、２４ｂが設けられている。これら遮蔽部材２２、２６ａの厚さを各々ｔ１，ｔ２、中空容器２１の内径をｌとしたとき１＜ｌ／ｔ１＜５および１＜ｌ／ｔ２＜５となっている。【選択図】  図１
2005164269.tif 000002
【特許請求の範囲】
【請求項１】
上端が開口した逆円錐形サイクロン型中空容器と、この中空容器の上端部に水平接続方向に向けて設けられた流体供給口と、
中空容器の下端中央部に設けられた流体排出口と、
中空容器の上端開口を覆う上蓋と、
流体供給口に接続された供給管と、
流体排出口に接続された排出管と、
中空容器内に、上蓋中央部から下方に向けて垂下された中空円筒状の放射線検出器と、
少なくとも中空容器の外周および上蓋の上部に設けられた放射線遮蔽部材とを備え、中空容器の内径をｌ、中空容器と上蓋の放射線遮蔽部材の厚さを各々ｔ１，ｔ２としたとき、
１＜ｌ／ｔ１＜５および１＜ｌ／ｔ２＜５となることを特徴とする放射性流体モニター装置。
【請求項２】
供給管と排出管の外周に放射線遮蔽部材が設けられていることを特徴とする請求項１記載の放射性流体モニター装置。
【請求項３】
供給管と排出管の放射線遮蔽部材の厚さ、中空容器の放射線遮蔽部材の厚さ、および上蓋の放射線遮蔽部材の厚さは、各々略同一であることを特徴とする請求項２記載の放射性流体モニター装置。
【発明の詳細な説明】
【従来の技術】
【０００１】
原子力発電所等の原子力施設、各種放射線研究所等においては、環境の放射線汚染を防止するため厳重な放射線管理が行われている。
【０００２】
従来、放射線管理を行う装置として、放射線汚染のおそれがある流体をサンプリング測定して、放射線濃度を常時監視する放射性流体モニター装置が用いられている。
【０００３】
この放射性流体モニター装置は、従来は図４に示すように、立方体あるいは直方体状の箱形中空容器１１と、この中空容器１１の上蓋１１ａを挿通して中空容器内に垂下された中空円筒状の放射線検出器１２とを備え、この中空容器１１の側壁に、それぞれ流体供給口１３および流体排出口１４を設けることにより構成されている。
【発明の開示】
【発明が解決しようとする課題】
【０００４】
この従来の放射性流体モニター装置１０は、途中にブロワあるいはポンプの配設された管路に接続され、室内あるいはタンク内からサンプリング抽出された空気あるいは水などの流体を、中空容器１１内を通過させることにより放射能検出を行う。この場合、中空容器１１内を通過する流体は、図４に矢印で示すように流れ、放射能検出器１２に接触することにより、放射能の検出が行われるが、中空容器１１の上、下隅部には流れが滞留する部分が生ずる。このため、流体中に放射性物質が含まれている場合には、この放射性物質がこの部分に滞留し、部分的に放射能濃度が高くなることがある。そして、この濃度の高くなった放射性物質を含む流体が、放射線検出器１２の周囲を流れる主流れに対し突然流れ込み、放射線検出器１２により検出される流体の放射能濃度を急に増大させることがある。
【０００５】
本発明は、このような従来装置における測定精度の不正確さを解決するためになされたものであり、常時瞬間的に流れている流体の放射能濃度を正確に検出し、モニタリング精度の優れている放射性流体モニター装置を提供することを目的とする。
【課題を解決するための手段】
【０００６】
本発明は、上端が開口した逆円錐形サイクロン型中空容器と、この中空容器の上端部に水平接続方向に向けて設けられた流体供給口と、中空容器の下端中央部に設けられた流体排出口と、中空容器の上端開口を覆う上蓋と、流体供給口に接続された供給管と、
流体排出口に接続された排出管と、中空容器内に、上蓋中央部から下方に向けて垂下された中空円筒状の放射線検出器と、少なくとも中空容器の外周および上蓋の上部に設けられた放射性遮蔽部材とを備え、中空容器の内径をｌ、中空容器と上蓋の放射性遮蔽部材の厚さをｔ１，ｔ２としたとき、
１＜ｌ／ｔ１＜５および１＜ｌ／ｔ２＜５となることを特徴とする放射性流体モニター装置。
【０００７】
本発明は、供給管と排出管の外周に放射性遮蔽部材が設けられていることを特徴とする放射性流体モニター装置である。
【０００８】
本発明は、供給管と排出管の放射性遮蔽部材の厚さ、中空容器の放射性遮蔽部材の厚さ、および上蓋の放射線遮蔽部材の厚さは各々略同一であることを特徴とする放射性流体モニター装置である。
【０００９】
本発明によれば、流体供給口から中空容器内に供給された流体は、中空容器の内壁面に沿って旋回流として流れ、中空容器内に滞留することなく流体排出口から排出される。この際、放射性流体は放射線検出器の外周囲を旋回しつつ流れ、放射線検出器は常に瞬間的に流れている流体の放射線量を検出することができる。
【００１０】
また中空容器の内径に比較して、中空容器と上蓋の放射線遮蔽部材の厚さを厚くしたことにより、中空容器内を外方から確実に遮蔽することができ、中空容器内における放射線量を外乱の影響を抑えて確実に検出することができる。
【発明の効果】
【００１１】
以上説明したように、本発明によれば、中空容器内の流体流れを旋回流とすることにより、常に精度の良いモニタリングを行うことができる。
【００１２】
また中空容器と上蓋の放射線遮蔽部材の厚さを厚くしたことにより、中空容器内を外方から完全に遮蔽して、中空容器内で外乱の影響を抑えて正確に放射線量を検出することができる。
【００１３】
本発明は放射線汚染物質の含まれる流体、例えばγ線汚染物質を含む流体のモニター装置などとして利用することができる。
【発明の実施の形態】
【００１４】
以下、図面を参照しつつ本発明の実施の形態について説明する。
【００１５】
図１および図２は本発明による放射性流体モニター装置の一実施の形態を示す縦断面図および平面図である。
【００１６】
図１および図２において符号２１は、サンプリング流体の供給される中空容器であり、この中空容器２１の外周囲は放射線を遮蔽することのできる放射線遮蔽部材（例えば鉛部材）２２により遮蔽されている。中空容器２１は上端開口した逆円錐形（じょうご形）をしており、下方に向けて滑らかに湾曲、例えば半球状に形成されている。また中空容器２１の上端開口は上蓋２６により覆われている。
【００１７】
中空容器２１の上端部には、流体供給口２３が水平線方向に向けて開口され、この流体供給口２３にはサンプリング配管２７（図３参照）に接続するための供給管２３ａが同一方向に延長接続されている。また、中空容器２１の下端中央部には、流体排出口２４が穿設され、この流体排出口２４には、サンプリング配管２７に接続するための排出管２４ａが直角方向に曲げて連続的に接続されている。
【００１８】
また図１および図２において、符号２５は放射線量を検出する放射線検出器であり、細長い中空円筒状をしている。放射線検出器２５は、中空容器２１の上蓋２６の中央部を貫通して、中空容器２１の中心に向けて垂下固定されている。この放射線検出器２５は、流体供給口２３の開口位置よりさらに下方に延び、中空容器２１の中心部に近い位置までその先端が延在されていることが望ましい。
【００１９】
なお、図１に示すように、上蓋２６の上部、供給管２３ａの外周および排出管２４ａの外周にも、各々放射線遮蔽部材（鉛部材）２６ａ、２３ｂ、２４ｂが設けられている。
【００２０】
また中空容器２１および上蓋２６の放射線遮蔽部材２２および２６ａは、各々厚さがｔ１，ｔ２となっており、中空容器２１の内径をｌとしたとき、
１＜ｌ／ｔ１＜５および１＜ｌ／ｔ２＜５となっている。
【００２１】
また供給管２３ａおよび排出管２４ａの放射線遮蔽部材２３ｂ、２４ｂの厚さは、各々ｔ３となっている。これらの厚さｔ１、ｔ２、ｔ３は各々略同一の値をもつ。
【００２２】
このように、中空容器２１の内径ｌに対して放射線遮蔽部材２２、２６ａ、２３ｂ、２４ｂの厚さを大きくとることにより、中空容器２１内を外方から完全に遮蔽することができ、中空容器２１内において外乱の影響を抑えて、放射線量を確実に検出することができる。
【００２３】
図３はこのような構成からなる本実施例による放射性流体モニター装置２０を室内雰囲気のモニター装置として使用した例を示している。放射性流体モニター装置２０の流体供給管２３ａおよび流体排出管２４ａには、それぞれ建屋３１の壁面を貫通して取付けられたサプリング配管２７，２８が接続され、排出管２８の途中には、建屋３１内の雰囲気をサンプリング抽出するためのブロワ２９が配設されている。なお、供給管２３ａ側のサンプリング配管２７の途中には、手動バルブ３２、フローゲージ３３が配設されている。
【００２４】
次にこのような構成からなる本実施の形態の作用について説明する。
【００２５】
手動バルブ３２を開くとともに、ブロワ２９を運転し、建屋３１内の雰囲気（空気）をサンプリング配管２７を通じて中空容器２１内に供給する。流体供給口２３から供給された流体は、中空容器２１の内壁面に沿って旋回しつつ下降し、流体排出口２４からサンプリング管２８へ流出する（第１図矢印はこの流れ状態を示している）。この際、中空容器２１内の流体は、放射線検出器２５の外周囲を、この放射線検出器２５を中心として旋回しつつ流れ、流体中の放射線量の検出が行われる。
【００２６】
この場合、中空容器２１内には流体の滞留する部分がなく、常に新しい流体が連続的に通過してゆく。したがって、放射線検出器２５は、常時、中空容器２１内にサンプリング抽出されて流れてゆく、瞬間的な流れにおける流体の放射線量を検出することができる。
【００２７】
これにより、放射線検出器２５により検出された値は、この瞬間における流体の放射能濃度を正確に表示していることになり、精度の良いモニタリングを行うことができる。
【００２８】
上記した実施例では、建屋３１内の雰囲気（空気）の放射能モニターを行う例を示したが、この他、タンク内に貯留されている流体の放射能モニターを行うこともできる。この場合には、ブロワ２９に代えてポンプを用いればよい。
【図面の簡単な説明】
【００２９】
【図１】本発明による放射性流体モニター装置の一実施例を示す縦断面図。
【図２】放射性流体モニター装置の平面図。
【図３】本発明による装置の応用例を示す系統図。
【図４】従来の放射性モニター装置の例を示す概略断面図。
【符号の説明】
【００３０】
２１  中空容器
２２  放射線遮蔽部材
２３  流体供給口
２３ａ  供給管
２３ｂ  放射線遮蔽部材
２４  流体排出口
２４ａ  排出管
２４ｂ  放射線遮蔽部材
２５  放射線検出器
２６  上蓋
２６ａ  放射線遮蔽部材
【図１】
2005164269.tif 000003
【図２】
2005164269.tif 000004
【図３】
2005164269.tif 000005
【図４】
2005164269.tif 000006